(57)【要約】【課題】ワイヤを堅く固定することが可能な同軸電気コネクタを提供すること。【解決手段】本発明は同軸電気コネクタに関し、この同軸電気コネクタは、端子部材、絶縁体および金属製シェルを備え、端子は絶縁体内に配置され、絶縁体は金属製シェル内に配置され、絶縁体は溝を有する折り畳み式の延長部材を有し、ワイヤストックが挿入されて端子に接触すると、延長部材はワイヤの方向へ折曲され、溝はワイヤを堅く挟む。これにより、使用時のワイヤと端子との導通状態を確実にする。【選択図】図1
2008103341.tif 000002
【特許請求の範囲】
【請求項１】
ワイヤストック(4)を挿入するための配向ギャップ(11)を有する端子部材(1)と、
前記端子部材(1)を取り付けるための貫通孔(21)、および前記端子部材(1)の前記配向ギャップ(11)に相互に繋げられるギャップ(22)を有する絶縁体(2)と、
前記絶縁体(2)の前記ギャップ(22)に相互に繋げられる引込ギャップ(34)を側壁に有し、前記絶縁体(2)を取り付けるための中空の円筒部材(31)の方向へ折曲され得るカバー(32)の後端部に連結される該中空の円筒部材(31)を有する金属製シェル(3)と、を備える同軸電気コネクタにおいて、
前記絶縁体(2)は折り畳み可能な延長部材(23)の一方の端部に連結され、前記延長部材(23)は前記ワイヤストック(4)を締め付けるための溝(231)を他方の端部に有し、前記溝(231)は前記延長部材(23)の、前記貫通孔(21)と同じ側にあることを特徴とする同軸電気コネクタ。
【請求項２】
前記延長部材(23)の前記溝(231)の反対側に、前記カバー(32)に堅く接触されるバルジ(232)が設けられている、請求項1に記載の同軸電気コネクタ。
【請求項３】
前記端子部材(1)は少なくとも1つの突出部(12)を有し、前記絶縁体(2)は前記突出部(12)に合致する凹部(24)を有する、請求項1に記載の同軸電気コネクタ。
【請求項４】
前記端子部材(1)の前記配向ギャップ(11)がU字型である、請求項1に記載の同軸電気コネクタ。
【請求項５】
複数の凸状殻部(35)が前記円筒部材(31)内に設けられて、前記絶縁体(2)の外部に開いた複数のカナル(25)へ対応する、請求項1に記載の同軸電気コネクタ。
【請求項６】
前記カバー(32)の前端部が前方へ延在して、第1の小片(331)と、ワイヤストック(4)を緊密に把持するための複数の突起部(3321)を内側に有する少なくとも1つの第2の小片(332)と、を備える結束部材(33)を形成している、請求項1に記載の同軸電気コネクタ。
【請求項７】
前記カバー(32)の各側部に、前記円筒部材(31)を締め付けるための翼部(321)がそれぞれ設けられている、請求項1に記載の同軸電気コネクタ。
【請求項８】
前記金属製シェル(3)の前記引込ギャップ(34)の各側部が外方へ延在しており、次いで内方へ折曲していることで、鉤型クランプ(341)が形成されている、請求項1に記載の同軸電気コネクタ。
【発明の詳細な説明】
【技術分野】
【０００１】
本発明は、特に携帯電話のブルートゥース、無線ネットワーク、電子式計器等用のワイヤストックに2つの部材を接続するための同軸電気コネクタに関する。
【背景技術】
【０００２】
通常、無線電子回路の送信回路および受信回路は、同軸ケーブルで接続され、発信信号と受信信号とにおける相互妨害を回避するために互いに一定の距離だけ離されている。先行技術によると、同軸電気コネクタは、配向ギャップを有する端子部材と、貫通孔およびギャップを有する絶縁体と、円筒部材を有する金属製シェルとにより構成される。円筒部材の一方の端部を覆うカバーと、円筒部材の他方の端部に設けられた引込ギャップとがある。以下にこの機器を組み立てる方法を述べる。まず、絶縁体の貫通孔内に端子部材を固定する。次に、端子部材を有する絶縁体を金属製シェルの円筒部材内に取り付け、金属製シェルの引込ギャップと、絶縁体のギャップと、端子部材の配向ギャップとを繋げて、ワイヤストックを引込ギャップ、ギャップおよび配向ギャップに順に通す。そして最後に、円筒部材を金属製シェルのカバーで覆い、金属製シェルの結束部材でワイヤを結束する。ワイヤは円筒形であり、そのため端子部材とカバーとの間で緩みやすく、回路を遮断させ、そのためこの種の同軸電気コネクタは信頼性が高くなく、市場の要求を適切に満たすことができない。
【発明の開示】
【発明が解決しようとする課題】
【０００３】
したがって、先行技術の不利な点を解消するため、本発明はワイヤを堅く固定することが可能な同軸電気コネクタを提供するものである。
【課題を解決するための手段】
【０００４】
本発明により提供される同軸電気コネクタは、ワイヤストックを挿入するための配向ギャップを有する端子部材と、前記端子部材を取り付けるための貫通孔、および端子部材の前記配向ギャップに相互に繋げられるギャップを有する絶縁体と、絶縁体のギャップに相互に繋げられる引込ギャップを有し、絶縁体を取り付けるための円筒部材の方向へ折曲され得るカバーの後端部に連結される中空の円筒部材を有する金属製シェルとを備える。前記絶縁体は、溝を有する折り畳み可能な延長部材の一方の端部に連結され、溝は、延長部材の、貫通孔と同じ側で他方の端部にあって、ワイヤストックを締め付ける。
【０００５】
さらに、バルジが前記溝の反対側の延長部材に設けられ、これはカバーに堅く接触されて、ワイヤストックを端子部材に堅く押圧する。
【０００６】
好ましい実施形態では、前記端子部材は少なくとも1つの突出部を有し、絶縁体は少なくとも1つの突出部に合致する凹部を有する。少なくとも1つの突出部および対応する凹部を介して、端子部材は前記絶縁体に安定的に配置され得る。
【０００７】
端子部材の前記配向ギャップは、ワイヤストックが配向ギャップ内に挿入された後にワイヤストックが滑り動くのを防ぐように、U字型となっている。
【０００８】
前記円筒部材は凸状殻部を有し、前記絶縁体は凸状殻部に対応するカナルを有する。凸状殻部およびカナルにより、前記絶縁体は前記金属製シェル内に安定的に配置され得る。
【０００９】
前記カバーの前端部が前方へ延在し、第1の小片と、ワイヤストックを緊密に把持するための1つより多い突起部を内側に有する少なくとも1つの第2の小片とを備える結束部材を形成する。
【００１０】
前記カバーの各側部に、円筒部材を締め付けるための翼部がそれぞれ設けられている。
【００１１】
金属製シェルの前記引込ギャップの各側部が外方へ延在し、次いで内方へ折曲することにより、鉤型クランプが形成される。
【発明の効果】
【００１２】
関連技術と比較すると、本発明は以下の利点を有する。すなわち、絶縁体の一方の端部に溝を有する折曲可能な延長部材があるため、ワイヤストックがギャップを通って端子部材に固定される際に、延長部材を折曲させることによって溝内にワイヤを押し込み、ワイヤと端子とを相互に緊密に接触させ、それにより回路が平常の状況下では遮断されないことを確実にして、市場の要求を満たすようにする。
【発明を実施するための最良の形態】
【００１３】
図1に示すように、本発明による同軸電気コネクタは、金属製シェル3と、金属製シェル3内に設けられる絶縁体2と、絶縁体2内に取り付けられる端子部材1とを備える。このコネクタを使用する必要がある場合には、ワイヤストックを挿入し、端子部材1に接触させるだけである。以下は、各構成要素の構成および結合方法の詳細な説明である。
【００１４】
図2および図5に示すように、端子部材1は、平面状の接触面13と、接触面13から下方へ延在するビューグル形(bugle shaped)の接合面14とを有する。接触面13の反対側で上方へ延在する2つの分離された羽状部があり、接触面13と共にU字型の配向ギャップ11を形成する。U字型の配向ギャップ11は作業の際に誘導役となることができ、ワイヤストックと接触面13との接触を確実にし、またワイヤストックは堅く固定される。
【００１５】
絶縁体との接触のために使用されるいくつかの突出部12が、端子部材1に設けられている。
【００１６】
図2〜4に示すように、貫通孔21およびギャップ22が設けられる絶縁体2は、プラスチックから作成される。貫通孔21と同じ側に、溝231が折曲可能な延長部材23の一方の端部に設けられ、この延長部材23の他方の端部は絶縁体2に連結される。溝231と協働してワイヤを緊密に締め付けるバルジ232が、延長部材23の溝231の反対側にある。
【００１７】
複数の凹部24が絶縁体2の内部に設けられ、絶縁体2内に端子部材1を取り付けるために、端子部材1の突出部12に対応している。
【００１８】
絶縁体2の外部に開いた複数のカナル25がある。
【００１９】
図2に示すように、金属製シェル3は銅から作成されるのが最適である。金属製シェル3には中空の円筒部材31がある。円筒部材31の一方の端部に、円筒部材31を覆うカバー32がある。上方へ延在する2つの翼部321がカバー32の両側に設けられて、円筒部材31をロックする。
【００２０】
カバー32の前端部が前方へ延在して結束部材33を形成しており、この結束部材33はワイヤストックを包むために使用することができ、第1の小片331と、第1の小片331の手前に複数の第2の小片332とを備える。第2の小片332のそれぞれの内側にはワイヤストックを把持するための多くの突起部3321があり、そのためワイヤストックは容易には引き抜かれ得ない。
【００２１】
円筒部材31の内部には前記カナル25に合致する多くの凸状殻部35がある。
【００２２】
円筒部材31の一方の端部には引込ギャップ34がある。金属製シェル3の引込ギャップ34の両側が外方へ延在し、次いで内側へ折曲することで、鉤型クランプ341が形成される。
【００２３】
組み立ての工程は以下のとおりである。
【００２４】
まず、貫通孔21内に端子部材1を取り付け、端子部材の突出部12を凹部24にそれぞれ挿入させて、絶縁体2内に端子部材1を緊密に固定させる。次いで、金属製シェル3の円筒部材31内に絶縁体2を挿入し、絶縁体2の位置を調整してカナル25内に突起部35をはめ込むようにし、それによって絶縁体2は円筒部材31に緊密に結合され、このとき金属製シェル3の引込ギャップ34は絶縁体2のギャップ22と、端子部材1の配向ギャップ11とに繋げられ、図7に示すように、絶縁体2の延長部材23の外面がカバー32の内面に緊密に取り付けられる。ワイヤストック4の一方の端部が引込ギャップ34と、ギャップ22と、配向ギャップ11とに順に挿入されて、それにより配向ギャップ11は最終的に端子部材1に接触する。次に、図6に示すごとくワイヤストック4を包む工程についてであるが、位置Aを中心として延長部材23を折曲させ、延長部材23の溝231にワイヤストック4を接触させる。次いで、位置Bを中心としてカバー32を折曲させ、延長部材23のバルジ232にカバー32を接触させ、ワイヤをさらに締め付ける。円筒部材31に翼部321を固定し、円筒部材31のぐらつきを防ぐために第1の小片331を折曲する。最後に第2の小片332でワイヤストック4を包み、ワイヤストック4を緊密に固定する。
【図面の簡単な説明】
【００２５】
【図１】本発明による電気コネクタの斜視図である。
【図２】本発明による電気コネクタの分解図である。
【図３】本発明による絶縁体を一方向からみた拡大斜視図である。
【図４】本発明による絶縁体を他方向かたみた拡大斜視図である。
【図５】本発明による端子部材の拡大斜視図である。
【図６】本発明による金属製シェルを折曲する前のカバーの断面図である。
【図７】本発明による金属製シェルを折曲した後のカバーの断面図である。
【符号の説明】
【００２６】
1  端子部材
2  絶縁体
3  金属製シェル
4  ワイヤストック
11  配向ギャップ
12  突出部
13  接触面
14  接合面
21  貫通孔
22  ギャップ
23  延長部材
24  凹部
25  カナル
31  円筒部材
32  カバー
33  結束部材
34  引込ギャップ
35  凸状殻部
231  溝
232  バルジ
311  翼部
331  第1の小片
332  第2の小片
341  鉤型クランプ
3321  突起部
【図１】
2008103341.tif 000003
【図２】
2008103341.tif 000004
【図３】
2008103341.tif 000005
【図４】
2008103341.tif 000006
【図５】
2008103341.tif 000007
【図６】
2008103341.tif 000008
【図７】
2008103341.tif 000009